(57)【要約】【課題】原稿圧板の開角度が低く外乱光が入り難い状態で、原稿サイズを検知することを可能とし、且つ外乱光に強い原稿サイズの検知を実現すると共に、省エネルギー及び長寿命化のために原稿サイズ検知センサ等の電源を通常オフにした状態から原稿サイズ検知時にオン状態に復帰して原稿サイズを検知すること可能とした原稿サイズ検知装置を提供する。【解決手段】原稿載置台１０２上に載置された原稿１０１を押圧する原稿圧板１１２と、原稿に光を照射する光源１０３と、光源から原稿に照射された光の反射光を読み取るＣＣＤ１１０と、少なくとも２段階の原稿圧板の開状態を検知する光学センサ１１３，１１４とを有し、光学センサにより検知される原稿圧板の開状態に対応した所定の制御を行い、ＣＣＤの読み取り結果に基づいて原稿のサイズを判別する。【選択図】      図１
2004258386.tif 000002
【特許請求の範囲】
【請求項１】
原稿載置台上に載置された原稿を押圧する原稿圧板と、
前記原稿に光を照射する光源と、
前記光源から前記原稿に照射された光の反射光を読み取る反射光読取手段と、
少なくとも２段階の前記原稿圧板の開状態を検知する開状態検知手段とを有し、
前記開状態検知手段により検知される前記原稿圧板の開状態に対応した所定の制御を行い、前記反射光読取手段の読み取り結果に基づいて前記原稿のサイズを判別することを特徴とする原稿サイズ検知装置。
【発明の詳細な説明】
【０００１】
【発明の属する技術分野】
本発明は、例えば、デジタル複写機、スキャナ装置、ファクシミリ装置等において、画像読み取り対象である原稿のサイズを検知するための原稿サイズ検知装置に関する。
【０００２】
【従来の技術】
従来、画像読み取り対象である原稿のサイズを検知するための原稿サイズ検知装置には多種多様な方式があるが、原稿の先端部を光源により照射して、前記原稿からの反射光をＣＣＤ（電荷結合素子）により読み取り、また、副走査方向に原稿サイズを検知する原稿サイズ検知センサを配置し、前記ＣＣＤの読み取り結果と前記原稿サイズ検知センサの検知結果とに基づいて原稿サイズを検知する方式が知られている（例えば、特許文献１参照）。
【０００３】
このように主走査幅検知のみ原稿読み取り用のＣＣＤを使用して原稿サイズを検知することにより、原稿サイズ検知センサの設置数が少なくて済み、低コストで且つ効率的な原稿サイズ検知を行うことができる。
【０００４】
また、別の方式として、画像読み取り対象である原稿を原稿載置台の上面に押圧する原稿圧板の開閉の有無を検知すると共に、前記原稿圧板が開かれた状態を検知することにより、原稿サイズを検知する方式も知られている（例えば、特許文献２参照）。
【０００５】
しかしながら、上述した従来例のいずれにおいても、基本的な原稿サイズの検知は可能であるが、原稿からの反射光を読み取る場合に、室内灯の光等のような、原稿サイズ検知装置以外からの外乱光も同時に読み取ってしまい、外乱光と原稿からの反射光との区別ができないため、原稿サイズの誤検知を招く可能性があるという問題があった。
【０００６】
このような外乱光の影響を防ぐために、原稿圧板が閉まっている場合に原稿サイズを検知する方式であるところの、例えば、白色原稿を検出するために原稿圧板の裏面の濃度を低下させる方式が知られている（例えば、特許文献３参照）。
【０００７】
【特許文献１】
特開平５−２０７２３９号公報
【特許文献２】
特開平９−３２９８４８号公報
【特許文献３】
特公昭６２−４７０２６号公報
【０００８】
【発明が解決しようとする課題】
しかしながら、上述した従来の白色原稿を検出するために原稿圧板の裏面の濃度を低下させる方式においては、原稿サイズの検知は可能であるが、原稿を読み取る際に原稿の背景が暗くなる裏写り現象が発生する。この裏写り現象は、第二原図原稿等の透過率の高い原稿を読み取る場合に顕著となり、読み取りに支障が出るという問題があった。
【０００９】
本発明は、上述したような従来技術の有する問題点を解消するためになされたもので、その目的は、原稿圧板の開角度が低く外乱光が入り難い状態で、原稿サイズを検知することを可能とし、且つ外乱光に強い原稿サイズの検知を実現すると共に、省エネルギー及び長寿命化のために原稿サイズ検知センサ等の電源を通常オフにした状態から原稿サイズ検知時にオン状態に復帰して原稿サイズを検知すること可能とした原稿サイズ検知装置を提供することである。
【００１０】
【課題を解決するための手段】
上記目的を達成するため、本発明の原稿サイズ検知装置は、原稿載置台上に載置された原稿を押圧する原稿圧板と、前記原稿に光を照射する光源と、前記光源から前記原稿に照射された光の反射光を読み取る反射光読取手段と、少なくとも２段階の前記原稿圧板の開状態を検知する開状態検知手段とを有し、前記開状態検知手段により検知される前記原稿圧板の開状態に対応した所定の制御を行い、前記反射光読取手段の読み取り結果に基づいて前記原稿のサイズを判別することを特徴とする。
【００１１】
【発明の実施の形態】
以下、本発明の各実施の形態を図面に基づき説明する。
【００１２】
（第１の実施の形態）
まず、本発明の第１の実施の形態を、図１乃至図１５に基づき説明する。
【００１３】
図１は、本実施の形態に係る原稿サイズ検知装置が適用された画像読取装置における画像読取系の構成を示す模式的な正面図、図２は、同側面図、図３は、本実施の形態に係る原稿サイズ検知装置が適用された画像読取装置の原稿載置台の構成を示す平面図である。
【００１４】
図１乃至図３に示す画像読取装置は、一般的なデジタル画像読取装置である。
【００１５】
図１及び図２において、１０１は原稿、１０２は原稿載置台、１０３は光源（ランプ）、１０４は第１のミラー、１０５は第１の光学台、１０６，１０７は第２、第３ミラー、１０８は第２の光学台、１０９はレンズ、１１０はＣＣＤ（電荷結合素子）、１１１は原稿サイズ検知センサ（反射型センサ）、１１２は原稿圧板、１１３，１１４は光学センサ、１１５はセンサフラグ、１１６は筺体である。
【００１６】
原稿載置台１０２は、画像読み取り対象の原稿１０１を載置するもので、透明ガラスから成る。光源１０３は、原稿載置台１０２上に載置された原稿１０１の面に光を照射するものである。第１のミラー１０４は、原稿１０１からの反射光を第２ミラー１０６に向けて反射するものである。第１の光学台１０５は、光源１０３と第１のミラー１０４とを収納するものである。第２、第３ミラー１０６，１０７は、第１のミラー１０４からの光を反射してレンズＣＣＤ１１０に導くものである。第２の光学台１０８は、第２、第３ミラー１０６，１０７を収納するものである。レンズ１０９は、第３ミラー１０７からの光をＣＣＤ１１０に集光させるものである。ＣＣＤ１１０は、レンズ１０９を介して入力した光信号を電気信号に変換するものである。原稿サイズ検知センサ１１１は、原稿載置台１０２上に載置された原稿１０１の副走査長さ方向のサイズを検知するもので、原稿載置台１０２における原稿１０１の有無を２値で出力する。
【００１７】
原稿圧板１１２は、原稿１０１を原稿載置台１０２の上面に押圧するものである。原稿圧板１１２の裏面は、原稿１０１を読み取る際に裏写り現象を防ぐために白色にしてある。光学センサ１１３，１１４は、原稿圧板１１２の２段階の開角度を検出するものである。センサフラグ１１５は、原稿圧板１１２の開角度によって上下し、一定の角度に達したところで光学センサ１１３，１１４の光を遮ることによって、原稿圧板１１２の開角度が光学センサ１１３，１１４によって検出される。筐体１１６は、原稿載置台１０２、光源１０３、第１のミラー１０４、第１の光学台１０５、第２、第３ミラー１０６，１０７、第２の光学台１０８、レンズ１０９、ＣＣＤ１１０、原稿サイズ検知センサ１１１、原稿圧板１１２、光学センサ１１３，１１４及びセンサフラグ１１５を装着するものである。
【００１８】
また、図３に示すように、原稿載置台１０２には、外周部に原稿サイズラベル３０１が設けられていると共に、図３の左上に示す奥側基準突き当て部に原稿合わせマーク３０２が設けられており、定型サイズ（Ａ３，Ａ４，Ａ５，Ａ４Ｒ，Ｂ４，Ｂ５，Ｂ５Ｒ，Ｂ６）の原稿が図３に示すように載置されるようになっている。
【００１９】
上記構成になる画像読取装置を用いて、原稿１０１の読み取りを行うものである。
【００２０】
図４は、本実施の形態に係る原稿サイズ検知装置が適用された画像読取装置の制御系の構成を示すブロック図である。
【００２１】
この画像読取装置の制御系は、図４に示すように、光源（ランプ）１０３、ＣＣＤ１１０、原稿サイズ検知センサ１１１、光学センサ１１３，１１４、Ａ／Ｄ変換回路４０１、光学モータ４０２、スキャナコントローラ４０３及び表示部４０４を備えている。
【００２２】
ＣＣＤ１１０は、上述した如く原稿面からの反射光を受けて、該原稿１０１の読み取りを行う。Ａ／Ｄ変換回路４０１は、ＣＣＤ１１０の出力信号をアナログ／デジタル変換するものである。光学モータ４０２は、第１の光学台１０５、第２の光学台１０８を移動させて原稿１０１を走査するものである。光源１０３は、上述した如く原稿面に光を照射するものである。原稿サイズ検知センサ１１１は、上述した如く原稿１０１の副走査長さ方向のサイズを検知するものである。光学センサ１１３，１１４は、原稿圧板１１２の開角度をそれぞれ４０°，１５°で検出するものである。表示部４０４は、原稿サイズの検知結果を示す情報を表示するものである。
【００２３】
スキャナコントローラ４０３は、ＣＣＤ１１０、光学モータ４０２、光源１０３及び原稿サイズ検知センサ１１１をそれぞれ制御し、光学センサ１１３，１１４による原稿圧板１１２の開角度検知結果により原稿サイズの検知動作を開始し、Ａ／Ｄ変換回路４０１から出力されるデジタル信号から原稿１０１の主走査方向長さを検知する。また、原稿サイズ検知センサ１１１より原稿１０１の副走査長さ方向のサイズを検知する。そして、原稿１０１の主走査方向長さのサイズの検知結果と副走査長さ方向のサイズの検知結果とを絡め、原稿１０１のサイズの判定を行い、その原稿サイズ結果を示す情報を表示部４０４に表示する。また、スキャナコントローラ４０３は、後述する図１２（第１の実施の形態）及び図１７（第２の実施の形態）のフローチャートに示す原稿サイズ検知処理を実行する。
【００２４】
図５は、本実施の形態に係る原稿サイズ検知装置が適用された画像読取装置の原稿載置台１０２上における原稿１０１のサイズ判定に用いる検知ポイントを示す平面図である。原稿副走査長さ方向のサイズ検知のための原稿サイズ検知センサ１１１を図示の検知ポイントに配置することにより、原稿の主走査長さ方向の各部のサイズについてのみ第１の光学台１０５を原稿載置台１０２上の図示の位置に配置し、ＣＣＤ１１０にて読み取りを行う。
【００２５】
尚、本発明の特許請求の範囲における各構成要件と、本実施の形態における各部との対応関係は下記の通りである。
【００２６】
反射光読取手段はＣＣＤ１１０に対応し、光源はランプ１０３に対応し、原稿サイズ判断手段はスキャナコントローラ４０３に対応し、原稿圧板は原稿圧板１１２に対応し、圧板開閉角度検知手段は光学センサ１１３，１１４、センサフラグ１１５に対応し、副走査検知手段は原稿サイズ検知センサ１１１に対応する。
【００２７】
次に、上記の如く構成された本実施の形態に係る原稿サイズ検知装置が適用された画像読取装置における原稿サイズ検知動作を、図１〜図１５を参照しながら説明する。
【００２８】
図６に示すように、画像読取装置の上部に外部光源である、例えば、蛍光灯６０１がある場合の原稿サイズ検知動作について説明する。
【００２９】
尚、本実施の形態による効果を分り易くするために、まず、一方の光学センサ１１３が無い場合を想定した、原稿圧板１１２の開角度が一箇所のみ検知できる場合の従来の原稿サイズ検知方式における不具合について、図７を用いて説明する。
【００３０】
図７は、従来の原稿サイズ検知方式における原稿サイズ検知動作の流れを示すフローチャートである。
【００３１】
まず、ステップＳ７０１で、画像読取装置のスキャナコントローラ４０３は、光学センサ１１４の状態を確認する。ここで原稿圧板１１２の開角度が４０°以上であった場合は、ステップＳ７０２で、省エネルギーのため光源１０３、ＣＣＤ１１０、原稿サイズ検知センサ１１１の電源をオフにした後、前記ステップＳ７０１へ戻る。
【００３２】
次に、前記ステップＳ７０１において、原稿圧板１１２の開角度が４０°以上から４０°以下の範囲に変化したことを光学センサ１１４が検知すると、ステップＳ７０３で、スキャナコントローラ４０３は、原稿圧板１１２が装置ユーザーによって閉め始められたものと判断し、光源１０３、ＣＣＤ１１０、原稿サイズ検知センサ１１１の電源をオンにする。次に、ステップＳ７０４で、各デバイスが安定するまで待機してから、原稿サイズ検知センサ１１１を制御する。そして、ステップＳ７０５で、この原稿サイズ検知センサ１１１の２値出力信号に基づき原稿１０１の有無と原稿１０１の副走査長さ方向のサイズとを判定し、ステップＳ７０６で、光源１０３を点灯し、原稿面主走査方向情報をＣＣＤ１１０により読み込む。次に、ステップＳ７０７で、スキャナコントローラ４０３は、ＣＣＤ１１０の出力信号をＡ／Ｄ変換回路４０１よりデジタル信号として読み取り、予め設定された閾値に基づき原稿１０１からの反射光の有無を判断する。そして、反射光があると判断された場合は、ステップＳ７０８で、反射光有りポイントを原稿有りと判断する。このときの読み取り結果を図８に示す。
【００３３】
この後、ステップＳ７０９で、スキャナコントローラ４０３は、原稿サイズ検知センサ１１１による副走査長さ方向判定とＣＣＤ１１０による主走査判定結果とに基づき、図１４に示すように原稿サイズを判定し、その判定結果をユーザーに知らせるために表示部４０４に判定結果を示す情報を表示した後、本処理動作を終了する。
【００３４】
一方、前記ステップＳ７０７において、反射光が無いと判断された場合は、別の処理へ移る。
【００３５】
このような従来の原稿サイズ検知方式においては、原稿圧板１１２の開角度が高い状態で原稿サイズを検知したため、蛍光灯６０１からの外乱光が図９の斜線部分９０１に入り、誤検知することが分る。
【００３６】
このような誤検知を防ぐために原稿圧板１１２の開角度を低く、例えば、１５°とすると、光源１０３、ＣＣＤ１１０、原稿サイズ検知センサ１１１の電源をオンにし、各デバイスが安定するまで待機した場合には、装置ユーザーが素早く原稿圧板１１２を閉めた場合等に、図１０に示すように原稿圧板１１２が閉まりきった後に、原稿サイズ検知動作を行うこととなり、光源１０３を点灯し、原稿面主走査方向のサイズ情報をＣＣＤ１１０により読み込んだ際の読み取り値が図１１のようになり、外乱光が入った場合と同様に原稿圧板１１２の裏面の白と原稿１０１の白とが切り分けできなくなってしまうという問題があった。
【００３７】
次に、これらの問題を解決する本実施の形態に係る原稿サイズ検知装置の検知動作について、図１２のフローチャートに基づき説明する。
【００３８】
まず、ステップＳ１２０１で、画像読取装置のスキャナコントローラ４０３は、光学センサ１１３，１１４の状態を確認する。ここで、原稿圧板１１２の開角度が４０°以上であった場合は、ステップＳ１２０２で、省エネルギーのため光源１０３、ＣＣＤ１１０、原稿サイズ検知センサ１１１の電源をオフにした後、前記ステップＳ１２０１へ戻る。
【００３９】
次に、前記ステップＳ１２０１において、原稿圧板１１２の開角度が４０°から１５°の範囲に変化したことを光学センサ１１３，１１４が検知すると、ステップＳ１２０３で、スキャナコントローラ４０３は、原稿圧板１１２が閉め始められたものと判断し、原稿サイズを検知する準備のため、光源１０３、ＣＣＤ１１０、原稿サイズ検知センサ１１１の電源をオンにする。
【００４０】
次に、ステップＳ１２０４で、スキャナコントローラ４０３は、光学センサ１１３，１１４の状態を確認する。そして、原稿圧板１１２の開角度が４０°から１５°以下の範囲に変化したことを検知すると、ステップＳ１２０５で、原稿サイズ検知センサ１１１を制御し、この原稿サイズ検知センサ１１１の２値出力信号に基づき原稿の有無と原稿の副走査長さ方向のサイズを判定する。次に、ステップＳ１２０６で、スキャナコントローラ４０３は、光源１０３を点灯し、原稿の主走査長さ方向のサイズ情報をＣＣＤ１１０により読み込む。
【００４１】
次に、ステップＳ１２０７で、スキャナコントローラ４０３は、ＣＣＤ１１０の出力信号をＡ／Ｄ変換回路４０１よりデジタル信号として読み取り、予め設定された閾値に基づき原稿１０１からの反射光の有無を判断する。そして、反射光有りと判断された場合は、ステップＳ１２０８で、反射光有りポイントを原稿有りと判断する。このときの読み取り結果を図１３に示す。
【００４２】
この後、ステップＳ１２０９で、スキャナコントローラ４０３は、原稿サイズ検知センサ１１１による副走査長さ方向のサイズ判定結果とＣＣＤ１１０による主走査長さ方向のサイズ判定結果とに基づき、図１４に示すように原稿サイズを判定し、その判定結果をユーザーに知らせるために表示部４０４に判定結果を示す情報を表示する。このときのＣＣＤ１１０からの読み取り値は、図１５に示すように、原稿圧板１１２の開角度が１５°の場合に行われるため、原稿圧板１１２の開角度が４０°で行われた場合のように、外乱光が入らないため正確な原稿サイズ検知が可能となる。また、原稿圧板１１２の開角度が４０°以上から閉まり始めた場合に原稿サイズ検知準備処理を行っているため、原稿圧板１１２の開角度が１５°になった場合には、直ちに原稿サイズ検知動作を行うことが可能となる。
【００４３】
前記ステップＳ１２０７において、反射光無しと判断された場合は、別の処理へ移行する。
【００４４】
以上説明したように、本実施の形態に係る原稿サイズ検知装置によれば、図３に示すように、外周部に原稿サイズラベル３０１が配置され奥側基準突き当て部に原稿合わせマーク３０２が設けられた原稿載置台１０２と、この原稿載置台１０２上の原稿１０１に光を照射する光源１０３と、原稿載置台１０２上の原稿１０１の像を読み取るＣＣＤ１１０と、原稿１０１を原稿載置台１０２の上面に押圧する原稿圧板１１２と、この原稿圧板１１２の開角度を検知するための光学センサ１１３，１１４と、光学センサ１１３，１１４の状態により光源１０３を点灯して原稿面を読み取ったＣＣＤ１１０の出力に基づき原稿載置台１０２上の原稿１０１のサイズを判断する制御を行うスキャナコントローラ４０３と、その判断結果を表示してユーザーに伝える表示部４０４とを備えた構成としているため、下記のような作用及び効果を奏する。
【００４５】
上記構成において、スキャナコントローラ４０３は、光学センサ１１３，１１４の状態により原稿圧板１１２の２段階の開角度を検知し、第１段階の開角度範囲で原稿サイズ検知準備処理として光源１０３、ＣＣＤ１１０、原稿サイズ検知センサ１１１の電源をオンにする。次に、原稿圧板１１２の第２段階の開角度範囲にて原稿１０１の副走査長さ方向のサイズを判定した後、予め設定された閾値に基づき原稿１０１からの反射光の有無を判断し、反射光有りポイントを原稿有りと判断する。
【００４６】
従って、本実施の形態に係る原稿サイズ検知装置においては、ユーザーにより行われる原稿圧板１１２の閉動作に合わせて、この原稿圧板１１２の開角度が低く且つ最適な角度で原稿サイズ検知を行うことが可能となるため、外乱光による誤検知を低減しながら、正確な原稿サイズ検知が可能となる。
【００４７】
（第２の実施の形態）
次に、本発明の第２の実施の形態を、図１６及び図１７に基づき説明する。
【００４８】
尚、本実施の形態に係る原稿サイズ検知装置が適用された画像読取装置の基本的な構成は、上述した第１の実施の形態における図１と同一であるから、必要に応じて同図を流用して説明する。
【００４９】
図１６は、本実施の形態に係る原稿サイズ検知装置が適用された画像読取装置における画像読取系の構成を示す模式的な側面図であり、同図において、上述した第１の実施の形態における図２と同一部分には同一符合が付してある。
【００５０】
図１６において図２と異なる点は、原稿圧板１１２の開角度を３段階（例えば、４０°、２５°、１５°）に亘って検知できるようにするため、図２の構成に光学センサ１６０１を追加したことである。その他の各部の構成は、上述した第１の実施の形態における図２と同一であるから、その説明を省略する。
【００５１】
次に、上記の如く構成された本実施の形態に係る原稿サイズ検知装置が適用された画像読取装置における原稿サイズ検知動作について、図１〜図５並びに図１３、図１４、図１６及び図１７を参照して説明する。
【００５２】
図１７は、本実施の形態に係る原稿サイズ検知装置が適用された画像読取装置における原稿サイズ検知動作の流れを示すフローチャートである。
【００５３】
まず、ステップＳ１７０１で、画像読取装置のスキャナコントローラ４０３は、光学センサ１１３，１１４、１６０１の状態を確認する。そして、原稿圧板１１２の開角度が４０°以上であった場合は、ステップＳ１７０２で、省エネルギーのため光源１０３、ＣＣＤ１１０、原稿サイズ検知センサ１１１の電源をオフにした後、前記ステップＳ１７０１へ戻る。
【００５４】
また、前記ステップＳ１７０１において、原稿圧板１１２の開角度が４０°以上から４０°〜２５°の範囲に変化したことを光学センサ１１３，１１４，１６０１が検知すると、ステップＳ１７０３で、スキャナコントローラ４２０３は、原稿圧板１１２が閉め始められたものと判断し、原稿サイズ検知の準備のため、電源オンから安定するまでに時間のかかるデバイスである光源１０３、ＣＣＤ１１０の電源をオンにする。次に、ステップＳ１７０４で、スキャナコントローラ４０３は、光学センサ１１３，１１４，１６０１の状態を確認する。そして、原稿圧板１１２の開角度が４０°〜２５°の範囲から２５°〜１５°の範囲に変化したことを光学センサ１１３，１１４，１６０１が検知すると、ステップＳ１７０５で、電源オンから安定するまでにさほど時間がかからない原稿サイズ検知センサ１１１の電源をオンにする。次に、ステップＳ１７０６で、スキャナコントローラ４０３は、光学センサ１１３，１１４，１６０１の状態を確認する。そして、原稿圧板１１２の開角度が２５°〜１５°の範囲の状態を保っている場合は、ステップＳ１７０７で、原稿サイズ検知センサ１１１の電源をオフにした後、前記ステップＳ１７０４へ戻る。
【００５５】
また、前記ステップＳ１７０６において、原稿圧板１１２の開角度が２５°〜１５°の範囲から１５°以下に変化したことを光学センサ１１３，１１４，１６０１が検知すると、ステップＳ１７０８で、原稿サイズ検知センサ１１１を制御し、この原稿サイズ検知センサ１１１の２値出力信号に基づき原稿１０１の有無と原稿１０１の副走査長さ方向のサイズを判定する。次に、ステップＳ１７０９で、スキャナコントローラ４０３は、光源１０３を点灯し、原稿面主走査方向のサイズ情報をＣＣＤ１１０により読み込む。次に、ステップＳ１７１０で、スキャナコントローラ４０３は、ＣＣＤ１１０の出力信号をＡ／Ｄ変換回路４０１よりデジタル信号として読み取り、予め設定された閾値に基づき原稿１０１からの反射光の有無を判断する。そして、反射光有りと判断された場合は、ステップＳ１７１１で、反射光有りポイントを原稿有りと判断する。このときの読み取り結果を図１３に示す。
【００５６】
この後、ステップＳ１７１２で、スキャナコントローラ４０３は、原稿サイズ検知センサ１１１による副走査長さ方向のサイズ判定結果とＣＣＤ１１０による主走査長さ方向のサイズ判定結果とに基づき、図１４に示すように原稿サイズを判定し、その判定結果をユーザーに知らせるために表示部２０４に判定結果を示す情報を表示した後、本処理動作を終了する。
【００５７】
以上説明したように、本実施の形態に係る原稿サイズ検知装置が適用された画像読取装置によれば、原稿載置台１０２上の原稿１０１に光を照射する光源１０３と、原稿載置台１０２上の原稿１０１の像を読み取るＣＣＤ１１０と、原稿１０１を原稿載置台１０２の上面に押圧する原稿圧板１１２と、この原稿圧板１１２の開角度を検知するための光学センサ１１３，１１４，１６０１と、光学センサ１１３，１１４，１６０１の状態により光源１０３を点灯して原稿面を読み取ったＣＣＤ１１０の出力に基づき原稿載置台１０２上の原稿１０１のサイズを判断する制御を行うスキャナコントローラ４０３と、その判断結果を表示しユーザーに伝える表示部４０４とを備えた構成としているため、下記のような作用及び効果を奏する。
【００５８】
上記構成において、スキャナコントローラ４０３は、光学センサ１１３、１１４，１６０１の状態により原稿圧板１１２の開角度を検知し、原稿圧板１１２の第一段階の開角度範囲で原稿サイズ検知準備処理として電源オンから安定するまでに時間のかかる光源１０３、ＣＣＤ１１０の電源をオンにする。次に、原稿圧板１１２の第二段階の開角度範囲にて電源オンから安定するまでに時間がかからない原稿サイズ検知センサ１１１の電源をオンにし、次に、原稿圧板１１２の第三段階の開角度範囲にて原稿１０１の副走査長さ方向のサイズを判定した後、予め設定された閾値に基づき原稿１０１からの反射光の有無を判断し、反射光がある場合は、反射光有りポイントを原稿有りと判断する。
【００５９】
従って、本実施の形態においては、省エネルギーのため原稿サイズ検知に用いる各デバイスの電源をオフにした状態であっても、各デバイスの電源オンからの安定時間に合わせた最適な原稿圧板１１２の開角度にて各デバイスの電源をオンにし、原稿圧板１１２の開角度が低く且つ最適な開角度で原稿サイズ検知を行うことが可能となるため、外乱光による誤検知の発生を低減しながら、正確な原稿サイズ検知が可能となる。
【００６０】
（その他の実施の形態）
尚、原稿圧板１１２のそれぞれの開角度範囲によって行った所定の原稿サイズ検知動作は、上述した第１及び第２の実施の形態に限られるものでないことは言うまでもない。
【００６１】
また、本発明は、複数の機器（例えば、ホストコンピュータ、インタフェース機器、リーダー、プリンタ等）から構成されるシステムに適用しても、一つの機器からなる装置（例えば、複写機、ファクシミリ装置等）に適用しても良い。
【００６２】
また、上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００６３】
この場合、記憶媒体から読み出されたプログラムコード自体が上述した実施の形態の機能を実現することになり、そのプログラムコードを記憶した記憶媒体は本発明を構成することになる。
【００６４】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００６５】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれることは言うまでもない。
【００６６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００６７】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００６８】
本発明の実施態様の例を以下に列挙する
［実施態様１］  原稿載置台上に載置された原稿を押圧する原稿圧板と、
前記原稿に光を照射する光源と、
前記光源から前記原稿に照射された光の反射光を読み取る反射光読取手段と、
少なくとも２段階の前記原稿圧板の開状態を検知する開状態検知手段とを有し、
前記開状態検知手段により検知される前記原稿圧板の開状態に対応した所定の制御を行い、前記反射光読取手段の読み取り結果に基づいて前記原稿のサイズを判別することを特徴とする原稿サイズ検知装置。
【００６９】
［実施態様２］  原稿台上に載置された原稿を押圧する原稿圧板と、
原稿に光を照射する光源と、
前記光源から前記原稿に照射された光の反射光を読み取る反射光読取手段と、少なくとも２段階の前記原稿圧板の開状態を検知する開状態検知手段とを有し、
前記開状態検知手段により前記原稿圧板が第一段階の開状態にあることが検知された場合に、前記光源及び前記反射光読取手段の電源をオンにし、前記開状態検知手段により前記原稿圧板が前記第一段階の開状態より低い開度状態である第二段階の開状態にあることが検知された場合に、前記反射光読取手段での出力結果に基づいて原稿のサイズを判別することを特徴とする原稿サイズ検知装置。
【００７０】
［実施態様３］  前記原稿圧板が前記第一段階の開状態よりも高い開度状態にある場合に、前記光源及び前記反射光読取手段の電源をオフにすることを特徴とする実施態様２に記載の原稿サイズ検知装置。
【００７１】
［実施態様４］  原稿の副走査方向のサイズを検知する副走査方向検知手段を有し、
前記副走査方向検知手段の出力結果と、前記反射光読取手段の出力結果とに基づいて、前記原稿のサイズを判別することを特徴とする実施態様２または３に記載の原稿サイズ検知装置。
【００７２】
［実施態様５］  原稿載置台上に載置され且つ原稿圧板により押圧された原稿に光源から照射された光の反射光を読み取る反射光読取工程と、
少なくとも２段階の前記原稿圧板の開状態を検知する開状態検知工程とを有し、
前記開状態検知工程により検知される前記原稿圧板の開状態に対応した所定の制御を行い、前記反射光読取工程の読み取り結果に基づいて前記原稿のサイズを判別することを特徴とする原稿サイズ検知方法。
【００７３】
［実施態様６］  原稿載置台上に載置され且つ原稿圧板により押圧された原稿に光源から照射された光の反射光を読み取る反射光読取工程と、
少なくとも２段階の前記原稿圧板の開状態を検知する開状態検知工程とを有し、
前記開状態検知工程により前記原稿圧板が第一段階の開状態にあることが検知された場合に、前記光源及び前記反射光読取工程の電源をオンにし、前記開状態検知工程により前記原稿圧板が前記第一段階の開状態より低い開度状態である第二段階の開状態にあることが検知された場合に、前記反射光読取工程での出力結果に基づいて原稿のサイズを判別することを特徴とする原稿サイズ検知方法。
【００７４】
［実施態様７］  前記原稿圧板が前記第一段階の開状態よりも高い開度状態にある場合に、前記光源及び前記反射光読取工程の電源をオフにすることを特徴とする実施態様６に記載の原稿サイズ検知方法。
【００７５】
［実施態様８］  原稿の副走査方向のサイズを検知する副走査方向検知工程を有し、
前記副走査方向検知工程の出力結果と、前記反射光読取工程の出力結果とに基づいて、前記原稿のサイズを判別することを特徴とする実施態様６または７に記載の原稿サイズ検知方法。
【００７６】
［実施態様９］  実施態様６乃至８に記載の原稿サイズ検知方法が有する各工程をコンピュータに実行させるためのプログラムコードから成ることを特徴とする制御プログラム。
【００７７】
［実施態様１０］  実施態様９に記載の制御プログラムを格納したことを特徴とする記憶媒体。
【００７８】
【発明の効果】
以上説明したように、本発明の原稿サイズ検知装置によれば、外乱光が入り難い状態で、且つ原稿圧板の最適な開角度で原稿サイズ検知を行うことが可能となり、外乱光による誤検知を低減しながら、正確な原稿サイズの検知を行うことが可能となる。
【００７９】
また、本発明の原稿サイズ検知装置によれば、外乱光による誤検知を低減しながら、正確な原稿サイズの検知を行うことが可能となり、且つ外乱光に強い原稿サイズの検知を実現すると共に、省エネルギー及び原稿サイズ検知装置の長寿命化のために原稿サイズ検知センサ等の電源を通常オフにした状態から原稿サイズ検知時に復帰して原稿サイズを検知することが可能となる。
【図面の簡単な説明】
【図１】本発明の第１の実施の形態に係る原稿サイズ検知装置が適用された画像読取装置の構成を示す模式的な正面図である。
【図２】本発明の第１の実施の形態に係る原稿サイズ検知装置が適用された画像読取装置における画像読取系の構成を示す模式的な側面図である。
【図３】本発明の第１の実施の形態に係る原稿サイズ検知装置が適用された画像読取装置における原稿載置台の構成を示す平面図である。
【図４】本発明の第１の実施の形態に係る原稿サイズ検知装置が適用された画像読取装置の構成を示すブロック図である。
【図５】本発明の第１の実施の形態に係る原稿サイズ検知装置が適用された画像読取装置における原稿載置台上における原稿のサイズ判定に用いる検知ポイントを示す平面図である。
【図６】本発明の第１の実施の形態に係る原稿サイズ検知装置が適用された画像読取装置における画像読取装置の上部に蛍光灯がある場合の原稿サイズ検知についての説明図である。
【図７】従来の原稿サイズ検知方式による検知動作の流れを示すフローチャートである。
【図８】従来の原稿サイズ検知方式による読み取り結果の一例を示す図である。
【図９】従来の原稿サイズ検知方式における不具合を説明するための図である。
【図１０】従来の原稿サイズ検知方式において、原稿圧板の開角度を低くした場合の説明図である。
【図１１】従来の原稿サイズ検知方式において、原稿圧板の開角度を低くした場合の不具合を説明するための図である。
【図１２】本発明の第１の実施の形態に係る原稿サイズ検知装置の動作の流れを示すフローチャートである。
【図１３】本発明の第１の実施の形態に係る原稿サイズ検知装置における読み取り結果の一例を示す図である。
【図１４】従来の原稿サイズ検知方式及び本発明の第１の実施の形態に係る原稿サイズ検知方式における主走査長さ方向サイズの判定結果と原稿サイズ検知センサの判定結果の一例を示す図である。
【図１５】本発明の第１の実施の形態に係る原稿サイズ検知装置における原稿圧板の開角度を１５゜にして検知した場合の説明図である。
【図１６】本発明の第２の実施の形態に係る原稿サイズ検知装置における画像読み取り系の構成を示す模式的な側面図である。
【図１７】本発明の第２の実施の形態に係る原稿サイズ検知装置の動作の流れを示すフローチャートである。
【符合の説明】
１０１      原稿
１０２      原稿載置台
１０３      光源
１０４      第１のミラー
１０５      第１の光学台
１０６      第２のミラー
１０７      第３のミラー
１０８      第２の光学台
１０９      レンズ
１１０      ＣＣＤ（電荷結合素子）
１１１      原稿サイズ検知センサ
１１２      原稿圧板
１１３      光学センサ
１１４      光学センサ
１１５      センサフラグ
１１６      筐体
３０１      原稿サイズラベル
３０２      原稿合わせマーク
４０１      Ａ／Ｄ変換回路
４０２      光学モータ
４０３      スキャナコントローラ
４０４      表示部
６０１      蛍光灯（外部光源）
１６０１    光学センサ
【図１】
2004258386.tif 000003
【図２】
2004258386.tif 000004
【図３】
2004258386.tif 000005
【図４】
2004258386.tif 000006
【図５】
2004258386.tif 000007
【図６】
2004258386.tif 000008
【図７】
2004258386.tif 000009
【図８】
2004258386.tif 000010
【図９】
2004258386.tif 000011
【図１０】
2004258386.tif 000012
【図１１】
2004258386.tif 000013
【図１２】
2004258386.tif 000014
【図１３】
2004258386.tif 000015
【図１４】
2004258386.tif 000016
【図１５】
2004258386.tif 000017
【図１６】
2004258386.tif 000018
【図１７】
2004258386.tif 000019